(57)【要約】【課題】手で持ち運びやすく、ケーシング装置で容器をケーシングでき、さらに、容器運搬保持具用ケースへの収容効率が高い容器運搬保持具及びその容器運搬保持具を収容する容器運搬保持具用ケースを提供することを目的とする。また、容器運搬保持具を容器運搬保持具用ケースに収容したときの安定性を高めることを目的とする。【解決手段】本発明に係る容器運搬保持具は、容器運搬保持具１０の列方向Ｘにおける両端１９ａ，１９ｂ間の長さが、上面５９が開放され、上面５９から容器運搬保持具１０を複数個並べて収容可能な容器運搬保持具用ケース５０の対向し合う内側面５１ａ，５１ｂ同士の面間隔Ｗとほぼ等しいことを特徴とする。【選択図】図１
2007261643.tif 000002
【特許請求の範囲】
【請求項１】
上面に設けた開口から一本の容器が挿入されることによって該容器を保持する収容室を、底を揃えて単列状に複数連結した容器保持部と、該容器保持部の列方向の一端若しくは両端に設けた把手部と、を備える容器運搬保持具において、
該容器運搬保持具の前記列方向における両端間の長さが、上面が開放され、該上面から前記容器運搬保持具を複数個並べて収容可能な容器運搬保持具用ケースの対向し合う内側面同士の面間隔とほぼ等しいことを特徴とする容器運搬保持具。
【請求項２】
前記容器運搬保持具用ケースへの固定手段をさらに設けていることを特徴とする請求項１に記載の容器運搬保持具。
【請求項３】
前記容器運搬保持具の前記列方向の両端部分に、前記容器運搬保持具用ケースの前記内側面に設けたケース側の凹部又は凸部と係合する保持具側の凸部又は凹部を設けていることを特徴とする請求項１に記載の容器運搬保持具。
【請求項４】
前記ケース側の凹部又は前記保持具側の凹部は、垂直方向に設けた溝であり、かつ、前記ケース側の凸部又は前記保持具側の凸部は、前記溝に嵌合可能な突条であり、
前記容器運搬保持具は、前記容器運搬保持具用ケースの前記上面から垂直下方に挿し込み固定されることを特徴とする請求項３に記載の容器運搬保持具。
【請求項５】
前記容器保持部の前記把手部が設けられた側の端の側面下部から前記列方向へ向けて突出した支脚部をさらに設けていることを特徴とする請求項１、２、３又は４に記載の容器運搬保持具。
【請求項６】
上面が開放された略直六面体の収容空間を有し、かつ、請求項３に記載の容器運搬保持具の保持具側の凸部又は凹部と係合するケース側の凹部又は凸部を、前記収容空間を画する内側面に設けていることを特徴とする容器運搬保持具用ケース。
【請求項７】
請求項１、２、３、４又は５に記載の容器運搬保持具が収容されていることを特徴とする請求項６に記載の容器運搬保持具用ケース。
【請求項８】
請求項１、２、３、４又は５に記載の容器運搬保持具の収容室に収容されていることを特徴とする製品又は容器。
【請求項９】
請求項６又は７に記載の容器運搬保持具用ケースに収容保持されていることを特徴とする製品又は容器。
【発明の詳細な説明】
【技術分野】
【０００１】
本発明は、飲料、調味料、食品、医薬品又は化粧品或いは日用品等の容器（例えば、壜、缶、合成樹脂製ボトル。）を収容する容器運搬保持具及びその容器運搬保持具を収容する容器運搬保持具用ケースに関する。
【背景技術】
【０００２】
飲料、調味料、食品、医薬品又は化粧品或いは日用品等の容器入りの製品（以下、単に「製品」と示す。）を運搬ケースから複数取り出して持ち運ぶ場合、１本、２本であれば手に持って運べる。だが、多数の製品を運搬ケースから取り出して持ち運ぶ場合、別の袋や別の運搬ケースに移し替える必要がある。この為、従来から、製品を複数収容した状態で予め運搬ケースに収容され、そのまま運搬ケースから取り出して持ち運び可能な手提げ用容器運搬保持具が利用されている。
【０００３】
例えば、手提げ用容器運搬保持具の立壁上部に設けられた把手を曲折可能とし、運搬ケースに収容可能とした手提げ用容器運搬保持具がある（例えば、特許文献１を参照。）。また、仕切板、仕切壁、支柱、支柱壁等の区室形成部により形成された多数の収容区画を有する運搬ケースに挿入される手提げ用容器運搬保持具がある（例えば、特許文献２又は３を参照。）。あるいは、冷蔵庫のドアポケットに収容可能な手提げ用容器運搬保持具がある（例えば、特許文献４を参照。）。
【０００４】
【特許文献１】実開平２−８７７７２号公報
【特許文献２】実開昭５６−１７２５１９号公報
【特許文献３】特開昭５８−６４９３３号公報
【特許文献４】実登３０３６２６６号公報
【発明の開示】
【発明が解決しようとする課題】
【０００５】
しかし、特許文献１に記載の手提げ用容器運搬保持具を運搬ケースに収容した状態では、把手が手提げ用容器運搬保持具の上面を覆ってしまい、ケーシング装置で容器をケーシングすることができない。また、手提げ用容器運搬保持具を運搬ケースに満載しないと、運搬ケース内部で転倒することがある。
【０００６】
特許文献２又は３に記載の手提げ用容器運搬保持具は、区室形成部により形成された多数の収容区画を有する運搬ケースに収容されるので、区室形成部のない運搬ケースに収容すると不安定になる。また、これらの手提げ用容器運搬保持具は、把手を幅広にすると手で持ち運び易くできる。しかし、これらの手提げ用容器運搬保持具は、把手を手提げ用容器運搬保持具の上面に設けているので、把手が手提げ用容器運搬保持具の上面を覆ってしまい、上記と同様にケーシング装置で容器をケーシングすることができない。一方、これら手提げ用容器運搬保持具は、把手を手提げ用容器運搬保持具の側面に設けるとすれば、把手が区室形成部に当たって運搬ケースに収容できない。あるいは、収容できたとしても、把手が収容区画の容器一個分のスペースを使ってしまうので運搬ケースへの収容効率が悪くなる。すなわち、これらの手提げ用容器運搬保持具は、手で持ち運びが容易で、ケーシング装置でケーシングすることが可能であり、さらに、運搬ケースへの収容効率が高いといった特性を全て兼ね備えることが難しい。
【０００７】
特許文献４に記載の手提げ用容器運搬保持具は、運搬ケースに収容する前提で設計されていないので、運搬ケースに安定して収容することは難しい。そのため、上記と同様に手提げ用容器運搬保持具が運搬ケース内部で転倒することがある。さらに、運搬ケース内部に無駄なスペースを発生させ、運搬ケースへの収容効率が悪くなる。
【０００８】
そこで、本発明は、手で持ち運びやすく、ケーシング装置で容器をケーシングでき、さらに、容器運搬保持具用ケースへの収容効率が高い容器運搬保持具及びその容器運搬保持具を収容する容器運搬保持具用ケースを提供することを目的とする。また、容器運搬保持具を容器運搬保持具用ケースに収容したときの安定性を高めることを目的とする。
【課題を解決するための手段】
【０００９】
本発明者らは鋭意開発した結果、把手部を容器保持部の側端に設け、容器運搬保持具の両端間の長さと容器運搬保持具用ケースの対向し合う内側面同士の面間隔とをほぼ等しくすることで上記課題を解決できることを見出し、本発明を完成させた。すなわち、本発明に係る容器運搬保持具は、上面に設けた開口から一本の容器が挿入されることによって該容器を保持する収容室を、底を揃えて単列状に複数連結した容器保持部と、該容器保持部の列方向の一端若しくは両端に設けた把手部と、を備える容器運搬保持具において、該容器運搬保持具の前記列方向における両端間の長さが、上面が開放され、該上面から前記容器運搬保持具を複数個並べて収容可能な容器運搬保持具用ケースの対向し合う内側面同士の面間隔とほぼ等しいことを特徴とする。
【００１０】
本発明に係る容器運搬保持具では、前記容器運搬保持具用ケースへの固定手段をさらに設けていること好ましい。前記容器運搬保持具を前記容器運搬保持具用ケースに収容したときの安定性をより高めることができる。
【００１１】
本発明に係る容器運搬保持具では、前記容器運搬保持具の前記列方向の両端部分に、前記容器運搬保持具用ケースの前記内側面に設けたケース側の凹部又は凸部と係合する保持具側の凸部又は凹部を設けていることが好ましい。前記ケース側の凹部又は凸部に前記保持具側の凸部又は凹部が係合するので、前記容器運搬保持具を前記容器運搬保持具用ケースに満載せずとも、前記容器運搬保持具の前記列方向に対する安定性と前記容器運搬保持具の前記列方向の直交する方向に対する安定性とを高めることができる。また、それぞれの前記保持具側の凸部又は凹部と前記ケース側の凹部又は凸部との間隔を、前記容器運搬保持具の前記列方向の直交する方向の幅に合せることで、前記容器運搬保持具用ケースへの収容効率を最大に高めることができる。
【００１２】
本発明に係る容器運搬保持具では、前記ケース側の凹部又は前記保持具側の凹部は、垂直方向に設けた溝であり、かつ、前記ケース側の凸部又は前記保持具側の凸部は、前記溝に嵌合可能な突条であり、前記容器運搬保持具は、前記容器運搬保持具用ケースの前記上面から垂直下方に挿し込み固定されることが好ましい。前記容器運搬保持具を前記容器運搬保持具用ケースに容易に挿入することができる。また、前記容器運搬保持具用ケースから前記容器運搬保持具を容易に抜き出すこともできる。
【００１３】
本発明に係る容器運搬保持具では、前記容器保持部の前記把手部が設けられた側の端の側面下部から前記列方向へ向けて突出した支脚部をさらに設けていることが好ましい。容器運搬保持具を容器運搬保持具用ケースに収容したとき、前記容器運搬保持具の前記列方向に対する安定性と前記容器運搬保持具の底面方向に対する安定性とを高めることができる。また、前記把手部に強い応力が加わっても、前記支脚部にその応力を分散させることができる為、前記把手部が破損することが少ない。
【００１４】
本発明に係る容器運搬保持具用ケースは、上面が開放された略直六面体の収容空間を有し、かつ、本発明に係る容器運搬保持具の保持具側の凸部又は凹部と係合するケース側の凹部又は凸部を、前記収容空間を画する内側面に設けていることを特徴とする。
【００１５】
本発明に係る容器運搬保持具用ケースは、本発明に係る容器運搬保持具が収容されていることを特徴とする。
【００１６】
本発明に係る製品又は容器は、本発明に係る容器運搬保持具の収容室に収容されていることを特徴とする。ここで、製品とは、上記の通り、容器入りの製品をいう。また、容器とは、リターナブル容器における空容器を含む。
【００１７】
本発明に係る製品又は容器は、本発明に係る容器運搬保持具用ケースに収容保持されていることを特徴とする。
【発明の効果】
【００１８】
本発明は、手で持ち運びやすく、ケーシング装置で容器をケーシングでき、さらに、容器運搬保持具用ケースへの収容効率が高い容器運搬保持具及びその容器運搬保持具を収容する容器運搬保持具用ケースを提供できる。また、容器運搬保持具を容器運搬保持具用ケースに収容したときの安定性を高めることができる。
【発明を実施するための最良の形態】
【００１９】
以下、本発明の実施形態について、図面を参照しながら詳細に説明する。なお、本発明は、以下に示す実施形態に限定されるものでない。
【００２０】
（実施の形態１）
第一実施形態に係る容器運搬保持具について説明する。図１は、第一実施形態に係る容器運搬保持具を第一実施形態に係る容器運搬保持具用ケースに満載した状態を示す上面図である。図２は、第一実施形態に係る容器運搬保持具の概略図を示し、（ａ）は上面図であり、（ｂ）は左側面図であり、（ｃ）は正面図である。図１及び図２に示す第一実施形態に係る容器運搬保持具１０は、上面に設けた開口１１ａから一本の容器が挿入されることによって容器（不図示）を保持する収容室１１を、底１２ｃを揃えて単列状に複数連結した容器保持部１２と、容器保持部１２の列方向Ｘの両端１２ａ，１２ｂに設けた把手部１４ａ，１４ｂと、を備える容器運搬保持具１０において、容器運搬保持具１０の列方向Ｘにおける両端１９ａ，１９ｂ間の長さＬが、上面５９が開放され、上面５９から容器運搬保持具１０を複数個並べて収容可能な容器運搬保持具用ケース５０の対向し合う内側面５１ａ，５１ｂ同士の面間隔Ｗとほぼ等しいことを特徴とする。図１及び図２において、容器運搬保持具１０の列方向をＸ、容器運搬保持具１０の列方向Ｘにおける両端１９ａ，１９ｂ間の長さをＬ及び容器運搬保持具用ケース５０の対向し合う内側面５１ａ，５１ｂ同士の面間隔をＷとして示した。収容室１１が互いに連結している箇所を連結箇所１１ｄとして示した。また、収容空間５５とは、容器運搬保持具用ケース５０の全ての内側面５１ａ、５１ｂ，５１ｃ，５１ｄ及び底面（不図示）により区画され、容器運搬保持具１０を収容できる空間である。なお、容器運搬保持具１０の右側面は、図２（ｂ）に示す容器運搬保持具１０の左側面と同じ形状である。
【００２１】
容器運搬保持具１０は、４個の収容室１１が単列状に連結した容器保持部１２と把手部１４ａ，１４ｂとを備え、容器保持部１２により最大４個の容器（不図示）を収容する。収容室１１の側面に４個の側面孔１１ｂを形成し、収容室１１の底１１ｃに底面孔１１ｅを形成する。容器保持部１２の底１２ｃの四隅に突起状の脚１７を設ける。なお、収容室１１の個数は、上記に４個に制限されない。例えば、収容室１１を２個、３個、５個、あるいはそれ以上としても良く、容器の大きさや容器運搬保持具用ケース５０の大きさ等によって適宜決定される。
【００２２】
把手部１４ａ，１４ｂは、容器保持部１２の両端１２ａ，１２ｂにその主軸が水平方向に向くように設けられている。これにより、容器保持部１２の片端を持ってあるいは両端を持って手に提げることができる。図２では、把手部１４ａ，１４ｂを容器保持部１２の両端１２ａ，１２ｂに設けた場合を図示したが、例えば、片端１２ａのみに設けても良い。また、把手部１４ａ，１４ｂをその主軸が鉛直方向を向くように設けても良い（不図示）。把手部１４ａ，１４ｂに柔軟性が無ければ、容器運搬保持具１０の列方向Ｘにおける両端１９ａ，１９ｂ間の長さＬを容器運搬保持具用ケース５０の対向し合う内側面５１ａ，５１ｂ同士の面間隔Ｗと等しくしても良い。また、把手部１４ａ，１４ｂに柔軟性があれば、容器運搬保持具１０の列方向Ｘにおける両端１９ａ，１９ｂ間の長さＬを容器運搬保持具用ケース５０の対向し合う内側面５１ａ，５１ｂ同士の面間隔Ｗとほぼ等しく、例えば、面間隔Ｗよりもわずかに大きくしても良い。さらに、把手部１４ａ，１４ｂの下方であって容器保持部１２の側面に把手の通孔１５ｂを設ける（右側面側の通孔１５ａは不図示。）。これによって、容器運搬保持具１０を手で持ち運び易くできる。また、第一実施形態に係る容器運搬保持具では、容器運搬保持具用ケース５０への固定手段をさらに設けていること好ましい。例えば、把手部１４ａ，１４ｂに保持具側の凸部１６ａ，１６ｂを形成する。
【００２３】
図２では容器保持部１２と把手部１４ａ，１４ｂとを一体で形成したが、容器保持部と容器保持部に装着可能な把手部とを個別に形成し、把手部を容器保持部に固定しても良い（不図示）。容器運搬保持具１０は、例えば、ポリプロピレン（ＰＰ）、ポリエチレン（ＰＥ）等のプラスチック樹脂を射出成形して形成する。また、容器運搬保持具用ケース５０は市販の運搬ケースとほぼ同じ大きさであることが好ましく、この場合、容器運搬保持具１０の外寸を、例えば、縦４５０ｍｍ、横１００ｍｍ及び深さ１３０ｍｍ、あるいは、縦４５０ｍｍ、横８０ｍｍ及び深さ１３０ｍｍとする。なお、容器運搬保持具１０の素材、形成方法及び外寸は、上記に制限されない。
【００２４】
容器としては、例えば、ガラス壜、陶器製の壜、ペットボトル、ボトル缶、２ピース缶又は３ピース缶がある。
【００２５】
図１に示すように、容器運搬保持具用ケース５０は、上面５９が開放され、対向し合う内側面５１ａ，５１ｂを有する。また、容器運搬保持具用ケース５０の縁にフランジ５３ａ、５３ｂを設けると剛性が向上するとともに、さらに、内側面５１ａ，５１ｂに側面孔５４ａ，５４ｂとを設けると、容器運搬保持具用ケース５０を手で運び易くできる。もう一組の対向し合う内側面５１ｃ，５１ｄにもフランジ５３ｃ、５３ｄと側面孔５４ｃ，５４ｄとを設けることが好ましい。このとき、容器運搬保持具用ケース５０の大きさに制限はないが、既存の運搬ケースの規格に従っていることが好ましい。容器運搬保持具用ケース５０は、例えば、プラスチック樹脂を射出成形して形成する。例えば、容器運搬保持具用ケース５０の内寸を縦４５０ｍｍ、横３６５ｍｍ及び深さ２６８ｍｍとしても良い。既存の運搬ケースと容器運搬保持具用ケース５０とを積み重ねることができ、容器運搬保持具用ケース５０の保管、輸送等が行ない易くなる。なお、容器運搬保持具用ケース５０の素材、形成方法及び内寸は、上記に制限されない。また、内側面５１にケース側の凹部（不図示）を設けることが好ましい。この点については、後述する。
【００２６】
図１に示すように、容器運搬保持具１０の開口１１ａが把手部１４ａ，１４ｂで遮られず、容器運搬保持具用ケース５０の上面が開放されているので、容器運搬保持具１０を容器運搬保持具用ケース５０に収容したときでもケーシング装置（不図示）で容器をケーシングできる。また、容器運搬保持具用ケース５０の収容空間５５において容器運搬保持具１０の列方向Ｘでは無駄なスペースが発生せず、容器運搬保持具１０を容器運搬保持具用ケース５０に効率良く収容できる。さらに、容器運搬保持具１０を容器運搬保持具用ケース５０に収容したときに、対向し合う内側面５１ａ，５１ｂが容器運搬保持具１０の両端１９ａ，１９ｂを挟み込んで容器運搬保持具１０の列方向Ｘに対する安定性を高める。よって、容器運搬保持具１０を容器運搬保持具用ケース５０に収容したときの安定性を高めることができる。
【００２７】
図３は、第一実施形態に係る容器運搬保持具用ケースであり、（ａ）は上面図であり、（ｂ）はＡ−Ａ`の断面図である。第一実施形態に係る容器運搬保持具用ケースは、上面５９が開放された略直六面体の収容空間５５を有し、かつ、容器運搬保持具（不図示）の保持具側の凸部（不図示）と係合するケース側の凹部５６ａを、収容空間５５を画する内側面５１ａに設けていることを特徴とする。図３において、容器運搬保持具用ケース５０の対向し合う内側面５１ａ，５１ｂの面間隔をＷ及び内側面５１ｃ，５１ｄの面間隔をＷ１として示した。容器運搬保持具用ケース５０の底面５８を網目状にしても良い。また、全ての内側面にケース側の凹部を設けても良い（不図示）。
【００２８】
容器運搬保持具用ケース５０は、少なくとも一対の対向し合う内側面５１ａ，５１ｂの面間隔Ｗが容器運搬保持具（不図示）の列方向における両端間の長さとほぼ等しければ良いが、全ての内側面の面間隔が容器運搬保持具の列方向における両端間の長さとほぼ等しくしても良い（不図示）。つまり、容器運搬保持具用ケース５０の対向し合う内側面５１ａ，５１ｂの面間隔Ｗ及び内側面５１ｃ，５１ｄの面間隔Ｗ１と図１，２に示した容器運搬保持具１０の列方向Ｘにおける両端１９ａ，１９ｂ間の長さＬとをほぼ等しくしても良い。
【００２９】
例えば、内側面５１ａの一部を厚くして内側面５１ａに段差部５７を形成し、段差部５７の上端部をケース側の凹部５６ａ８，５６ａ９としても良い。保持部側の凸部（不図示）がケース側の凹部５６ａ８，５６ａ９に係合するように容器運搬保持具を容器運搬保持具用ケース５０に挿入すれば、内側面５１ｃ，５１ｄが容器運搬保持具の一方の側を支え、段差部５７により内側面５１ｃ，５１ｄの反対側から容器運搬保持具の他方の側を支えることができ、容器運搬保持具を容器運搬保持具用ケース５０に安定して収容できる。また、段差部５７を設けると容器運搬保持具用ケース５０の製造に用いるプラスチック樹脂の量を節約することができる。さらに、内側面５１ａの段差部５７に７個のケース側の凹部５６ａ１，５６ａ２，５６ａ３，５６ａ４，５６ａ５，５６ａ６，５６ａ７を形成しても良い。これらケース側の凹部５６ａは、上部の幅を広くすることが好ましい。この点については、後述する。なお、ケース側の凹部５６ａの個数は、上記に制限されない。
【００３０】
図４は、第一実施形態に係る容器運搬保持具の第一実施形態に係る容器運搬保持具用ケースへの収容方法の一例を示す模式図であり、（ａ）は挿入する途中の状態を示し、（ｂ）は挿入した状態を示す。第一実施形態に係る容器運搬保持具１０では、容器運搬保持具１０の列方向Ｘの両端部分に、容器運搬保持具用ケース５０の内側面５１ａ，５１ｂに設けたケース側の凹部５６ａ１，５６ａ２と係合する保持具側の凸部１６ａ，１６ｂを設けていることが好ましい。図４において、容器運搬保持具１０の列方向をＸ、容器運搬保持具１０の列方向Ｘに直交する方向をＹ、容器運搬保持具１０の列方向Ｘにおける両端間の長さをＬ及び容器運搬保持具用ケース５０の対向し合う内側面５１ａ，５１ｂの面間隔をＷとして示した。なお、図４のケース側の凹部５６ａ２は、図３のケース側の凹部５６ａ２と同じ位置となる。
【００３１】
図４（ａ）では、保持具側の凸部１６ａとケース側の凹部５６ａ２とが係合し、かつ、保持具側の凸部１６ｂとケース側の凹部５６ｂ２とが係合する位置で容器保持運搬具１０を容器運搬保持具用ケース５０の上面５９から挿入している。このまま容器保持運搬具１０を挿入し続けると、図４（ｂ）に示すように、保持具側の凸部１６ａとケース側の凹部（不図示）とが係合し、かつ、保持具側の凸部１６ｂとケース側の凹部（不図示）とが係合した状態で容器保持運搬具１０が容器運搬保持具用ケース５０に収容される。容器運搬保持具１０の列方向Ｘの直交する方向Ｙから衝撃又は振動が加わっても、保持具側の凸部１６ａとケース側の凹部５６ａ２とが係合し、かつ、保持具側の凸部１６ｂとケース側の凹部５６ａ２とが係合しているので、容器運搬保持具１０が転倒しにくくなる。よって、容器運搬保持具用ケース５０に容器保持運搬具１０を満載せずとも、容器運搬保持具１０の列方向Ｘに対する安定性と容器運搬保持具１０の列方向Ｘの直交する方向Ｙに対する安定性とを高めることができる。
【００３２】
保持具側の凸部１６ａ，１６ｂ及びケース側の凹部５６ａ２，５６ｂ２の代わりに、容器保持運搬具１０に保持具側の凹部を設け、保持具側の凹部に対応するケース側の凸部を容器運搬保持具用ケース５０に設けても良い（不図示）。また、以後の説明においても同様である。
【００３３】
不図示であるが、容器運搬保持具を容器運搬保持具用ケースに収容した状態において保持具側の凸部が接触する箇所のみケース側の凹部を形成すると、容器運搬保持具を容器運搬保持具用ケースに挿抜するときに保持具側の凸部が内側面に引っ掛かって邪魔になる。図４に示すように、第一実施形態に係る容器運搬保持具１０では、ケース側の凹部５６ａ２，５６ｂ２は、垂直方向に設けた溝であり、かつ、保持具側の凸部１６ａ，１６ｂは、溝に嵌合可能な突条であり、容器運搬保持具１０は、容器運搬保持具用ケース５０の上面５９から垂直下方に挿し込み固定されることが好ましい。保持具側の凸部１６ａ，１６ｂが内側面５１ａ，５１ｂに引っ掛かることなく容器運搬保持具１０を容器運搬保持具用ケース５０に容易に挿入することができる。また、保持具側の凸部１６ａ，１６ｂが内側面５１ａ，５１ｂに引っ掛かることなく容器運搬保持具用ケース５０から容器運搬保持具１０を容易に抜き出すこともできる。さらに、図３（ｂ）に示すようにケース側の凹部５６ａ２の上部の幅を広く形成、例えば、Ｖ字状に形成することで、保持具側の凸部１６ａとケース側の凹部５６ａ２とを係合させる際に少しずれていてもＶ字状の切り込みがガイドとなって、容器運搬保持具１０を容器運搬保持具用ケース５０に垂直下方に挿入することができる。よって、容器運搬保持具１０を容器運搬保持具用ケース５０により挿入しやすくできる。
【００３４】
なお、図４において、容器運搬保持具用ケース５０にケース側の凹部５６ａ２，５６ｂ２を設ける場合、内側面５１ａ，５１ｂに凹みではなく切り込み若しくは孔を設けることで、ケース側の凹部５６ａ２，５６ｂ２を形成しても良い。ここで、保持具側の凸部１６ａとケース側の凹部５６ｂ２とが係合しても良く、また、保持具側の凸部１６ｂとケース側の凹部５６ａ２とが係合しても良い。
【００３５】
（実施の形態２）
図５は、第二実施形態に係る容器運搬保持具を第二実施形態に係る容器運搬保持具用ケースに満載した状態を示す上面図である。図６は、第二実施形態に係る容器運搬保持具の概略図を示し、（ａ）は上面図であり、（ｂ）は左側面図であり、（ｃ）は正面図であり、（ｄ）は右側面図である。図５及び図６において、容器運搬保持具２０の列方向をＸ、容器運搬保持具２０の列方向Ｘにおける両端２９ａ，２９ｂ間の長さをＬ及び容器運搬保持具用ケース５０の対向し合う内側面５１ａ，５１ｂ同士の面間隔をＷとして示した。収容室２１が互いに連結している箇所を連結箇所２１ｄとして示した。以下、図２の容器運搬保持具１０と異なる点について説明する。
【００３６】
収容室２１の側面に３個又は４個の側面孔２１ｂを形成し、収容室２１の底２１ｃに底面孔２１ｅを形成する。容器運搬保持具２０において、連結箇所２１ｄの幅は、収容室２１の径よりも小さくなる。
【００３７】
把手部２４は、容器保持部２２の端２２ｂにその主軸が鉛直方向に向くように設けられている。ここで、把手部２４は、鉤形状に形成されている。図５及び図６では、把手部２４を容器保持部２２の片端２２ｂに設けた場合を図示したが、例えば、その両端２２ａ，２２ｂに設けても良い。また、容器保持部２０の片端２２ａの上部に把手孔２５ａを形成し、把手孔２５ａに指を通して手に提げることもできる補助把手部２５を設けても良い。突条の保持具側の凸部２６ｂは、把手部２４の端２９ｂにおいて底２２ｃに向けて鉛直方向に形成される。また、保持具側の凸部２６ｂは、把手部２４が柔軟性を有していれば、容器運搬保持具２０の列方向Ｘにおける両端２９ａ，２９ｂ間の長さＬが容器運搬保持具用ケース５０の対向し合う内側面５１ａ，５１ｂ同士の面間隔Ｗと等しいか、あるいは、わずかに長くとも良い。一方の把手部２４を片手で持って、容器運搬保持具２０を提げても良く、把手部２４及び補助把手部２５を両手で持って容器運搬保持具２０を掲げても良い。ここで、把手部２４が持ち手との接触面積を広くし、手で把手部２４を握り易くできる。
【００３８】
図６に示すように、第二実施形態に係る容器運搬保持具では、容器保持部２２の把手部２４が設けられた側の端２２ｂの側面下部から列方向Ｘへ向けて突出した支脚部２７をさらに設けていることが好ましい。容器運搬保持具２０の列方向Ｘから衝撃又は振動が加わっても支脚部２７が内側面（不図示）を押え、容器運搬保持具２０の列方向Ｘに対する安定性を高めることができる。また、支脚部２７の分だけさらに容器運搬保持具２０の底面面積を大きくとれるので、容器運搬保持具２０の底面方向（不図示）から衝撃又は振動が加わっても、容器運搬保持具２０の底面方向に対する安定性を高めることができる。また、把手部２４に強い応力が加わっても、支脚部２７にその応力を分散させることができる為、把手部２４が破損することが少ない。
【００３９】
図７は、第二実施形態に係る容器運搬保持具の第二実施形態に係る容器運搬保持具用ケースへの収容方法の一例を示す模式図であり、（ａ）は挿入する途中の状態を示し、（ｂ）は挿入した状態を示す。第二実施形態に係る容器運搬保持具２０では、容器運搬保持具２０の列方向Ｘの両端間に、容器運搬保持具用ケース５０の内側面５１ａ，５１ｂに設けたケース側の凹部５６ａ１，５６ｂ１と係合する保持具側の凸部２６ａ，２６ｂを設けることが好ましい。図７において、容器運搬保持具２０の列方向をＸ、容器運搬保持具２０の列方向Ｘに直交する方向をＹ、容器運搬保持具２０の列方向Ｘにおける両端間の長さをＬ及び容器運搬保持具用ケース５０の対向し合う内側面５１ａ，５１ｂの面間隔をＷとして示した。なお、図７のケース側の凹部５６ａ１は、図３（ｂ）のケース側の凹部５６ａ１と同じ位置となる。
【００４０】
図３の容器運搬保持具１０と同様に、容器運搬保持具用ケース５０に容器保持運搬具２０を満載せずとも、容器運搬保持具２０の列方向Ｘに対する安定性と容器運搬保持具２０の列方向の直交する方向Ｙに対する安定性とを高めることができる。
【００４１】
図８は、第一実施形態及び第二実施形態に係る容器運搬保持具用ケースの上面概念図であり、（ａ）は第一形態の容器運搬保持具を第一実施形態に係る容器運搬保持具用ケースに満載した状態を示し、（ｂ）は第二形態の容器運搬保持具を第二実施形態に係る容器運搬保持具用ケースに満載した状態を示す。図８において、容器運搬保持具２０の列方向に直交する方向Ｙを示した。
【００４２】
図８（ａ）及び（ｂ）において、容器運搬保持具用ケース５０は同じものである。図８（ａ）に示すように、５個の容器運搬保持具１０は、図２に示す両端１９ａ，１９ｂを揃え、マス目状に接触するように、並行に収容できる。また、図８（ｂ）に示すように、図６に示す容器運搬保持具２０の連結箇所２１ｄに相当する箇所とその隣に挿入される容器運搬保持具２０の収容室２１とが接して６個の容器運搬保持具２０を互い違いに半段ずらして並行に収容できる。ここで、容器運搬保持具２０の列方向と直交する方向Ｙの幅が容器運搬保持具１０の列方向と直交する方向Ｙの幅より狭い。容器運搬保持具２０は、例えば、径が小さい壜等を収容することができる。
【００４３】
図３（ｂ）に示すように、容器運搬保持具用ケース５０は、ケース側の凹部５６同士の間隔、例えば、ケース側の凹部５６ａ８，５６ａ２の間隔、ケース側の凹部５６ａ２，５６ａ４の間隔、ケース側の凹部５６ａ４，５６ａ６の間隔、ケース側の凹部５６ａ６，５６ａ９の間隔を第一実施形態に係る容器運搬保持具の列方向の直交する方向の幅に合せてもよい。このとき、第一実施形態に係る容器運搬保持具の保持具側の凸部がケース側の凹部５６ａ２，５６ａ４、５６ａ６，５６ａ８，５６ａ９に係合し、５個の第一実施形態に係る容器運搬保持具を収容することができる。
【００４４】
また、容器運搬保持具用ケース５０は、ケース側の凹部５６同士の間隔、例えば、ケース側の凹部５６ａ８，５６ａ１の間隔、ケース側の凹部５６ａ１，５６ａ３の間隔、ケース側の凹部５６ａ３，５６ａ５の間隔、ケース側の凹部５６ａ５，５６ａ７の間隔、ケース側の凹部５６ａ７，５６ａ９の間隔を第二実施形態に係る容器運搬保持具の列方向の直交する方向の幅に合せてもよい。このとき、第二実施形態に係る容器運搬保持具の保持具側の凸部がケース側の凹部５６ａ１，５６ａ３、５６ａ５，５６ａ７，５６ａ８，５６ａ９に係合し、６個の第二実施形態に係る容器運搬保持具を収容することができる。上記のように、ケース側の凹部は、第一実施形態及び第二実施形態に係る容器運搬保持具の保持具側の凸部の両方に係合でき、いずれか一方の保持具側の凸部にも係合できる。
【００４５】
図８（ｂ）に示すように、把手部２４が容器運搬保持具用ケース５０の収容空間（不図示）の一部スペースを使っている。しかし、従来の収容区画を有する運搬ケースと異なり、把手が収容区画の容器一個分のスペースを使ってしまうことがなく、容器運搬保持具用ケース５０の収容効率が悪化しない。
【００４６】
（実施の形態３）
図９は、第三実施形態に係る容器運搬保持具の斜視図である。また、図１０は、第三実施形態に係る容器運搬保持具を示し、（ａ）は上面図であり、（ｂ）は左側面図であり、（ｃ）は正面図であり、（ｄ）は右側面図である。図１０において、容器運搬保持具３０の列方向をＸ及び容器運搬保持具３０の列方向Ｘにおける両端３９ａ，３９ｂ間の長さをＬとして示した。図６の容器運搬保持具２０と異なる点について説明する。
【００４７】
容器運搬保持具３０は、容器保持部３２の片端３２ｂに幅広の内周面３８を有する輪状の把手部３４がその主軸が鉛直方向を向くように形成される。また、把手部３４が底３２ｃに向けて支脚部３７の上面３７ｕまで延長され、把手部３４と支脚部３７とが一体化して形成される。把手部３４が柔軟性を有していれば、容器運搬保持具３０の列方向Ｘにおける両端３９ａ，３９ｂ間の長さＬが容器運搬保持具用ケース（不図示）の対向し合う内側面同士の面間隔と等しいかあるいはわずかに長くとも良い。一方の把手部３４を片手で持って、容器運搬保持具３０を提げても良く、把手部３４及び補助把手部３５を両手で持って容器運搬保持具３０を掲げても良い。ここで、把手部３４が持ち手との接触面積を広くし、手で把手部３４を握り易くできる。
【００４８】
図２及び図６の容器運搬保持具１０，２０と同様に、容器運搬保持具３０を容器運搬保持具用ケース（不図示）に収容したときでもケーシング装置（不図示）で容器をケーシングできる。また、容器運搬保持具３０を容器運搬保持具用ケースに効率良く収容できる。さらに、容器運搬保持具３０の列方向Ｘに対する安定性を高め、容器運搬保持具３０を容器運搬保持具用ケースに収容したときの安定性を高めることができる。
【図面の簡単な説明】
【００４９】
【図１】第一実施形態に係る容器運搬保持具を第一実施形態に係る容器運搬保持具用ケースに満載した状態を示す上面図である。
【図２】第一実施形態に係る容器運搬保持具の概略図を示し、（ａ）は上面図であり、（ｂ）は左側面図であり、（ｃ）は正面図である。
【図３】第一実施形態に係る容器運搬保持具用ケースであり、（ａ）は上面図であり、（ｂ）はＡ−Ａ`の断面図である。
【図４】第一実施形態に係る容器運搬保持具の第一実施形態に係る容器運搬保持具用ケースへの収容方法の一例を示す模式図であり、（ａ）は挿入する途中の状態を示し、（ｂ）は挿入した状態を示す。
【図５】第二実施形態に係る容器運搬保持具を第二実施形態に係る容器運搬保持具用ケースに満載した状態を示す上面図である。
【図６】第二形態の容器運搬保持具を示し、（ａ）は上面図であり、（ｂ）は左側面図であり、（ｃ）は正面図であり、（ｄ）は右側面図である。
【図７】第二実施形態に係る容器運搬保持具の第二実施形態に係る容器運搬保持具用ケースへの収容方法の一例を示す模式図であり、（ａ）は挿入する途中の状態を示し、（ｂ）は挿入した状態を示す。
【図８】第一実施形態及び第二実施形態に係る容器運搬保持具用ケースの上面概念図であり、（ａ）は第一形態の容器運搬保持具を第一実施形態に係る容器運搬保持具用ケースに満載した状態を示し、（ｂ）は第二形態の容器運搬保持具を第二実施形態に係る容器運搬保持具用ケースに満載した状態を示す。
【図９】第三実施形態に係る容器運搬保持具の斜視図である。
【図１０】第三実施形態に係る容器運搬保持具を示し、（ａ）は上面図であり、（ｂ）は左側面図であり、（ｃ）は正面図であり、（ｄ）は右側面図である。
【符号の説明】
【００５０】
１０、２０、３０  容器運搬保持具
１１、２１、３１  収容室
１１ａ、２１ａ、３１ａ  開口
１１ｂ、２１ｂ、３１ｂ  側面孔
１１ｃ、２１ｃ、３１ｃ  底面
１１ｄ、２１ｄ、３１ｄ  連結箇所
１１ｅ、２１ｅ、３１ｅ  底面孔
１２、２２、３２  容器保持部
１２ａ、１２ｂ、２２ａ、２２ｂ、３２ａ、３２ｂ  容器保持部の端
１２ｃ、２２ｃ、３２ｃ  底
１４ａ、１４ｂ、２４、３４  把手部
１５ａ、１５ｂ  通孔
１６ａ、１６ａ、２６ａ、２６ｂ、３６ａ、３６ｂ  保持具側の凸部
１７  脚
１９ａ、１９ｂ、２９ａ、２９ｂ、３９ａ、３９ｂ  容器運搬保持具の端
２５、３５  補助把手部
２５ａ、３５ａ  把手孔
２７、３７  支脚部
３７ｕ  上面
３８  内周面
５０  容器運搬保持具用ケース
５１ａ、５１ｂ、５１ｃ、５１ｄ  内側面
５３ａ、５３ｂ、５３ｃ、５３ｄ  フランジ
５４ａ、５４ｂ、５４ｃ、５４ｄ  側面孔
５５  収容空間
５６ａ、５６ａ１、５６ａ２、５６ａ３、５６ａ４、５６ａ５、５６ａ６、５６ａ７、５６ａ８、５６ａ９、５６ｂ、５６ｂ１、５６ｂ２  ケース側の凹部
５７  段差部
５８  底面
５９  上面
Ｘ  容器運搬保持具の列方向
Ｙ  容器運搬保持具の列方向に直交する方向
Ｌ  容器運搬保持具の列方向における両端間の長さ
Ｗ  容器運搬保持具ケースの対向する内側面の幅
【図１】
2007261643.tif 000003
【図２】
2007261643.tif 000004
【図３】
2007261643.tif 000005
【図４】
2007261643.tif 000006
【図５】
2007261643.tif 000007
【図６】
2007261643.tif 000008
【図７】
2007261643.tif 000009
【図８】
2007261643.tif 000010
【図９】
2007261643.tif 000011
【図１０】
2007261643.tif 000012